【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
複数の入力画像のうち少なくとも１つの画質に関する設定値を調整するための調整指示を受け付ける受付手段と、
前記複数の入力画像のうち、前記調整指示による画質調整の対象である入力画像の調整後の設定値が所定の閾値を超える場合、前記調整指示の受け付けに応じて、前記複数の入力画像のうち他の入力画像の設定値を変更する制御手段とを有することを特徴とする画像処理装置。
【請求項２】
前記制御手段は、前記調整指示による画質調整の対象である入力画像の調整後の設定値が所定の上限値よりも高い場合、前記調整指示の受け付けに応じて、前記複数の入力画像のうち他の入力画像の設定値を下げることを特徴とする請求項１に記載の画像処理装置。
【請求項３】
前記制御手段は、前記調整指示による画質調整の対象である入力画像の調整後の設定値が所定の下限値よりも低い場合、前記調整指示の受け付けに応じて、前記複数の入力画像のうち他の入力画像の設定値を上げることを特徴とする請求項１又は２に記載の画像処理装置。
【請求項４】
前記調整指示により調整される画質に関する設定値は、明るさ、コントラスト、及び、色相のうち、少なくともいずれかに関する設定値であることを特徴とする請求項１乃至３の何れか１項に記載の画像処理装置。
【請求項５】
前記制御手段は、前記調整指示による調整後の前記複数の入力画像のそれぞれの設定値最大値が所定の上限値より高く、且つ、前記調整指示による調整後の前記複数の入力画像のそれぞれの設定値の最小値が所定の下限値より高い場合、前記調整指示による調整後の前記複数の入力画像の設定値のそれぞれから所定の値を減算することを特徴とする請求項１乃至４の何れか１項に記載の画像処理装置。
【請求項６】
前記制御手段は、前記調整指示による調整後の前記複数の入力画像のそれぞれの設定値の最大値が所定の上限値より高く、且つ、前記調整指示による調整後の前記複数の入力画像のそれぞれの設定値の最小値が所定の下限値よりも低い場合、前記調整指示による調整後の前記複数の入力画像の設定値のうち最大値から所定の値を減算することを特徴とする請求項１乃至５の何れか１項に記載の画像処理装置。
【請求項７】
前記制御手段は、前記調整指示による調整後の前記複数の入力画像のそれぞれの設定値の最小値が所定の下限値より低く、且つ、前記調整指示による調整後の前記複数の入力画像のそれぞれの設定値の最大値が所定の上限値より低い場合、前記調整指示による調整後の前記複数の入力画像の設定値のそれぞれに所定の値を加算することを特徴とする請求項１乃至６の何れか１項に記載の画像処理装置。
【請求項８】
前記制御手段は、前記調整指示による調整後の前記複数の入力画像のそれぞれの設定値の最小値が所定の下限値より低く、且つ、前記調整指示による調整後の前記複数の入力画像のそれぞれの設定値の最大値が所定の上限値より高い場合、前記調整指示による調整後の前記複数の入力画像の設定値のうち最小値に所定の値を加算することを特徴とする請求項１乃至７の何れか１項に記載の画像処理装置。
【請求項９】
前記制御手段は、前記調整指示による調整後の前記複数の入力画像のそれぞれの設定値の最大値が所定の上限値より高い場合、及び、前記調整指示による調整後の前記複数の入力画像のそれぞれの設定値の最小値が所定の下限値より低い場合の少なくとも何れかの場合において、前記調整指示による調整後の前記複数の入力画像のそれぞれの設定値に対して、前記所定の上限値の絶対値と前記所定の下限値の絶対値とのうち大きいほうの絶対値を乗算し、さらに、前記調整指示による調整後の前記複数の入力画像のそれぞれの設定値の絶対値のうち最大値で除算することを特徴とする請求項１に記載の画像処理装置。
【請求項１０】
複数の画像入力手段を有し、
前記複数の入力画像は、前記複数の画像入力手段により入力されることを特徴とする請求項１乃至９の何れか１項に記載の画像処理装置。
【請求項１１】
画像処理装置が行う画像処理方法であって、
複数の入力画像のうち少なくとも１つの画質に関する設定値を調整するための調整指示を受け付ける受付工程と、
前記複数の入力画像のうち、前記調整指示による画質調整の対象である入力画像の調整後の設定値が所定の閾値を超える場合、前記調整指示の受け付けに応じて、前記複数の入力画像のうち他の入力画像の設定値を変更する制御工程とを有することを特徴とする画像処理方法。
【請求項１２】
前記制御工程は、前記調整指示による画質調整の対象である入力画像の調整後の設定値が所定の上限値よりも高い場合、前記調整指示の受け付けに応じて、前記複数の入力画像のうち他の入力画像の設定値を下げることを特徴とする請求項１１に記載の画像処理方法。
【請求項１３】
前記制御工程は、前記調整指示による画質調整の対象である入力画像の調整後の設定値が所定の下限値よりも低い場合、前記調整指示の受け付けに応じて、前記複数の入力画像のうち他の入力画像の設定値を上げることを特徴とする請求項１１又は１２に記載の画像処理方法。
【請求項１４】
コンピュータを、請求項１乃至１０の何れか１項に記載の画像処理装置として動作させるためのプログラム。
【手続補正２】
【補正対象書類名】明細書
【補正対象項目名】全文
【補正方法】変更
【補正の内容】
【発明の詳細な説明】
【発明の名称】画像処理装置、画像処理方法及びプログラム
【技術分野】
【０００１】
本発明は、複数の画像データに対する画質調整を行う技術に関するものである。
【背景技術】
【０００２】
表示された複数の画像に対して個別に画質調整を行う技術として、ユーザが複数の画像に対して個別に画質調整方法を設定し、マルチ画面表示においてもユーザの意図を反映した表示を行うことが可能な技術が開示されている（特許文献１参照）。
【先行技術文献】
【特許文献】
【０００３】
【特許文献１】特開２００５−０７７８５９号公報
【発明の概要】
【発明が解決しようとする課題】
【０００４】
しかしながら、特許文献１に開示された技術では、マルチ画面表示においてもユーザの意図を反映した表示を行うことが可能であるが、画質調整範囲を超える設定がユーザから指示された場合、それを反映させることができないという問題がある。
【０００５】
そこで、本発明の目的は、ユーザから指示された画質設定が制限を超える場合であっても、画質設定の効果を示すことを可能とすることにある。
【課題を解決するための手段】
【０００６】
本発明の画像処理装置は、複数の入力画像のうち少なくとも１つの画質に関する設定値を調整するための調整指示を受け付ける受付手段と、前記複数の入力画像のうち、前記調整指示による画質調整の対象である入力画像の調整後の設定値が所定の閾値を超える場合、前記調整指示の受け付けに応じて、前記複数の入力画像のうち他の入力画像の設定値を変更する制御手段とを有することを特徴とする。
【発明の効果】
【０００７】
本発明によれば、ユーザから指示された画質設定が制限を超える場合であっても、画質設定の効果を示すことが可能となる。
【図面の簡単な説明】
【０００８】
【図１】本発明の実施形態に係る画像表示装置の構成を示す図である。
【図２】理論設定値算出部における理論設定値の算出処理を示すフローチャートである。
【図３】理論設定値算出部における理論設定値の算出処理について具体的に説明するための図である。
【図４】第１の実施形態における実設定値算出部の画質設定値の算出処理を示すフローチャートである。
【図５】実設定値算出部の画質設定値の算出処理について具体的に説明するための図である。
【図６】第１の実施形態における一連の処理について具体的に説明するための図である。
【図７】第２の実施形態における実設定値算出部の画質設定値の算出処理を示すフローチャートである。
【図８】第２の実施形態における実設定値算出部の画質設定値の算出処理を具体的に説明するための図である。
【発明を実施するための形態】
【０００９】
以下、本発明を適用した好適な実施形態を、添付図面を参照しながら詳細に説明する。
【００１０】
先ず、本発明の第１の実施形態について説明する。図１（ａ）は、第１の実施形態に係る画像表示装置１００の構成を示す図である。画像表示装置１００には、４つの画像入力部１０１〜１０４が設けられている。画像表示装置１００は、画像入力部１０１〜１０４のうちの何れか１つ以上の画像入力部から入力された画像データを表示する。ここでは、画像表示装置１００が４つの画像入力部１０１〜１０４を備える場合について説明するが、画像入力部１０１〜１０４の数はこれに限らず、複数であれば任意の数でよい。なお、画像表示装置１００は、画像処理装置の例となる構成である。
【００１１】
画像入力部１０１〜１０４は、コンピュータから出力される画像データやビデオ画像データ等を入力するための入力端子とレシーバ等で構成されている。ここでは、入力端子とレシーバ等によって画像入力部１０１〜１０４を構成する場合について説明するが、複数の画像出力装置とＬＡＮを介して接続された形態でも構わない。また、物理的に異なる画像入力部でなくとも、記憶装置から複数の画像データを読み出す形態でも構わない。
【００１２】
画像調整部１１１は、画像入力部１０１〜１０４から入力された各画像データに対して、実設定値算出部１２５によって算出された画質設定値を用いて、明るさ調整、コントラスト調整、及び、色相調整等の画質調整を行う。画像表示部１１２は、画像調整部１１１によって画質調整された画像データを表示する。
【００１３】
画像調整指示部１２１は、画像入力部１０１〜１０４毎に、操作者による明るさ等の画質調整指示を受け付ける。画質調整指示は、画像表示装置１００本体に設けられたボタン、リモコンによるボタン、又は、画像表示装置において表示されるメニュー画面等から行うことが可能である。なお、画像調整指示部１２１は、受付手段の例である。
【００１４】
理論設定値記憶部１２２は、画像入力部１０１〜１０４から入力された各画像データに対する理論的な画質設定値（以下、理論設定値と称す）を記憶する。理論設定値算出部１２３は、画像調整指示部１２１から入力した画質調整値と、理論設定値記憶部１２２から読み出した理論設定値とに基づいて、理論設定値を新たに算出する。なお、理論設定値は、第１の画質設定値の例であり、理論設定値算出部１２３は、第１の算出手段の例である。
【００１５】
装置制限記憶部１２４は、画像表示装置１００における画質設定値の上限値と下限値とを記憶する。実設定値算出部１２５は、理論設定値算出部１２３によって算出された理論設定値と、装置制限記憶部１２４から読み出した画質設定値の上限値及び下限値とに基づいて、画像調整部１１１に対して指定すべき画質設定値を算出する。
【００１６】
図１（ｂ）は、画像表示装置１００における画像表示例を示す図である。図１（ｂ）では、画像入力部１０１〜１０４から入力された４つの画像データを４画面に表示する例を示している。
【００１７】
図２は、理論設定値算出部１２３における理論設定値の算出処理を示すフローチャートである。なお、図２に示す処理は、本実施形態に係る画像表示装置１００内において、ＣＰＵが例えばＲＯＭ等の記録媒体から必要なプログラム及びデータを読み出し、ＲＡＭに展開して実行することにより実現する処理である。
【００１８】
ステップＳ２０１において、理論設定値算出部１２３は、画質調整指示として画質調整値を画像調整指示部１２１から入力する。ステップＳ２０２において、理論設定値算出部１２３は、理論設定値記憶部１２２から理論設定値を読み出す。ステップＳ２０３において、理論設定値算出部１２３は、ステップＳ２０２で読み出した理論設定値に対してステップＳ２０１で入力した画質調整値を加算することにより新たな理論設定値を算出する。ステップＳ２０４において、理論設定値算出部１２３は、ステップＳ２０３で算出した理論設定値を理論設定値記憶部１２２に記憶させる。ステップＳ２０５において、理論設定値算出部１２３は、理論設定値を実設定値算出部１２５に出力する。
【００１９】
ここで、図３を参照しながら、図２を用いて説明した処理について具体的に説明する。図３の３０１に示すように、画像調整指示部１２１は、画像入力部１０１から入力された画像データに対する画質調整指示として画質調整値「＋１」を受け付け、理論設定値算出部１２３に対して出力する。また、理論設定値記憶部１２２は、図３の３０２に示すように、画像入力部１０１〜１０４から入力された各画像データに対応して理論設定値「１０」、「１０」、「９」及び「８」を記憶している。
【００２０】
理論設定値算出部１２３は、画像入力部１０１から入力された画像データについて、理論設定値記憶部１２２から読み出した理論設定値「１０」に、画像調整指示部１２１から入力した画質調整値「＋１」を加算する。これにより、図３の３０３に示すように、新たな理論設定値「１１」が算出される。理論設定値算出部１２３は、新たな理論設定値「１１」を理論設定値記憶部１２２に記憶させるとともに、実設定値算出部１２５に対して出力する。
【００２１】
また、図３では、画像入力部１０２〜１０４から入力された各画像データについては、画像調整指示部１２１において画質調整指示が受け付けられなかったことを示している。従って、理論設定値算出部１２３は、理論設定値記憶部１２２から読み出した理論設定値をそのまま実設定値算出部１２５に対して出力する。
【００２２】
次に、図４を参照しながら、第１の実施形態における実設定値算出部１２５の画質設定値の算出処理について説明する。なお、図４に示す処理は、本実施形態に係る画像表示装置１００内において、ＣＰＵが例えばＲＯＭ等の記録媒体から必要なプログラム及びデータを読み出し、ＲＡＭに展開して実行することにより実現する処理である。
【００２３】
ステップＳ４０１において、実設定値算出部１２５は、理論設定値算出部１２３から入力された理論設定値を仮設定値とする。ステップＳ４０２において、実設定値算出部１２５は、画質設定値の上限値と下限値とを装置制限記憶部１２４から読み出す。
【００２４】
ステップＳ４０３において、実設定値算出部１２５は、画像入力部１０１〜１０４に対応する仮設定値の中の最大値と画質設定値の上限値とを比較する。仮設定値の中の最大値の方が画質設定値の上限値より大きい場合、処理はステップＳ４０４に移行する。一方、仮設定値の中の最大値が画質設定値の上限値以下である場合、処理はステップＳ４０７に移行する。
【００２５】
ステップＳ４０４において、実設定値算出部１２５は、画像入力部１０１〜１０４に対応する仮設定値の中の最小値と画質設定値の下限値とを比較する。仮設定値の中の最小値の方が画質設定値の下限値より大きい場合、処理はステップＳ４０５に移行する。一方、仮設定値の中の最小値が画質設定値の下限値以下である場合、処理はステップＳ４０６に移行する。
【００２６】
ステップＳ４０５において、実設定値算出部１２５は、全ての仮設定値に対してそれぞれ１を減算した値を新たな仮設定値とする。そして、処理はステップＳ４０３に戻る。ステップＳ４０６において、実設定値算出部１２５は、画像入力部１０１〜１０４に対する仮設定値の中の最大値から１を減算した値を新たな仮設定値とする。そして、処理はステップＳ４０３に戻る。
【００２７】
ステップＳ４０７において、実設定値算出部１２５は、画像入力部１０１〜１０４に対応する仮設定値の中の最小値と画質設定値の下限値とを比較する。仮設定値の中の最小値の方が画質設定値の下限値より小さい場合、処理はステップＳ４０８に移行する。一方、仮設定値の中の最小値が画質設定値の下限値以上である場合、処理はステップＳ４１１に移行する。
【００２８】
ステップＳ４０８において、実設定値算出部１２５は、画像入力部１０１〜１０４に対応する仮設定値の中の最大値と画質設定値の上限値とを比較する。仮設定値の中の最大値の方が画質設定値の上限値より小さい場合、処理はステップＳ４０９に移行する。一方、仮設定値の中の最大値が画質設定値の上限値以上である場合、処理はステップＳ４１０に移行する。
【００２９】
ステップＳ４０９において、実設定値算出部１２５は、全ての仮設定値に対してそれぞれ１を加算した値を新たな仮設定値とする。そして、処理はステップＳ４０３に戻る。ステップＳ４１０において、実設定値算出部１２５は、画像入力部１０１〜１０４に対応する仮設定値の中の最小値に１を加算した値を新たな仮設定値とする。そして、処理はステップＳ４０３に戻る。ステップＳ４１１において、実設定値算出部１２５は、算出した仮設定値を画像調整部１１１に対して出力する。
【００３０】
ここで、図５（ａ）〜（ｄ）を参照しながら、図４を用いて説明した処理について具体的に説明する。図５（ａ）は、画像入力部１０１〜１０４に対応する仮設定値が「１１」、「１０」、「９」及び「８」であり、画質設定値の上限値が「１０」であり、画質設定値の下限値が「−１０」である場合を示している。
【００３１】
ステップＳ４０３に対応する処理として、実設定値算出部１２５は、仮設定値５０１の中の最大値「１１」と画質設定値の上限値「１０」５０２とを比較する。ここでは、仮設定値の中の最大値「１１」の方が大きいため、処理はステップＳ４０３からＳ４０４に移行する。ステップＳ４０４に対応する処理として、実設定値算出部１２５は、仮設定値５０１の中の最小値「８」と画質設定値の下限値「−１０」５０３とを比較する。ここでは、仮設定値５０１の中の最小値「８」の方が大きいため、処理は図４のステップＳ４０４からＳ４０５に移行する。
【００３２】
ステップＳ４０５に対応する処理として、実設定値算出部１２５は、仮設定値５０１の全てに対してそれぞれ１減じた値を新たな仮設定値５０４とする。そして、処理はステップＳ４０３に戻る。ステップＳ４０３に対応する処理として、実設定値算出部１２５は、仮設定値５０４の中の最大値「１０」と画質設定値の上限値「１０」５０２とを比較する。ここでは、これらが等しいため、処理はステップＳ４０７に移行する。ステップＳ４０７に対応する処理として、実設定値算出部１２５は、仮設定値５０４の中の最小値「８」と画質設定値の下限値「−１０」５０３とを比較する。ここでは、仮設定値５０４の中の最小値「８」の方が大きいため、処理はステップＳ４０７からＳ４１１に移行する。ステップＳ４１１において、実設定値算出部１２５は、仮設定値５０４を実際の設定値（以下、実設定値と称す）として画像調整部１１１に対して出力する。なお、実設定値は、第２の画質設定値の例であり、実設定値算出部１２５は、第２の算出手段の例である。
【００３３】
図５（ｂ）は、画像入力部１０１〜１０４に対応する仮設定値がそれぞれ「１１」、「１０」、「９」及び「−１０」であり、画質設定値の上限値が「１０」であり、画質設定値の下限値が「−１０」である場合を示している。
【００３４】
ステップＳ４０３に対応する処理として、実設定値算出部１２５は、仮設定値５０５の中の最大値「１１」と画質設定値の上限値「１０」５０６とを比較する。ここでは、仮設定値の中の最大値「１１」の方が大きいため、処理はステップＳ４０３からＳ４０４に移行する。ステップＳ４０４に対応する処理として、実設定値算出部１２５は、仮設定値５０５の中の最小値「−１０」と画質設定値の下限値「−１０」５０７とを比較する。ここでは、これらが等しいため、処理はステップＳ４０４からＳ４０６に移行する。ステップＳ４０６に対応する処理として、実設定値算出部１２５は、仮設定値５０５の最大値「１１」から１減じた値「１０」を新たな仮設定値５０８する。そして、処理はステップＳ４０３に戻る。ステップＳ４０３に対応する処理として、実設定値算出部１２５は、仮設定値５０５の中の最大値「１０」と画質設定値の上限値「１０」５０６とを比較する。ここでは、これらが等しいため、処理はステップＳ４０７に移行する。
【００３５】
ステップＳ４０７に対応する処理として、実設定値算出部１２５は、仮設定値５０８の中の最小値「−１０」と画質設定値の下限値「−１０」５０７とを比較する。ここでは、これらが等しいため、処理はステップＳ４０７からＳ４１１に移行する。ステップＳ４１１に対応する処理として、実設定値算出部１２５は、仮設定値５０８を実設定値として画像調整部１１１に出力する。
【００３６】
図５（ｃ）は、画像入力部１０１〜１０４の画像に対応する仮設定値が「−１１」、「９」、「８」及び「７」であり、画質設定値の上限値が「１０」、画質設定値の下限値が「−１０」である場合を示している。
【００３７】
ステップＳ４０３に対応する処理として、実設定値算出部１２５は、仮設定値５０９の中の最大値「９」と画質設定値の上限値「１０」５１０とを比較する。ここでは、仮設定値５０９の中の最大値「９」の方が小さいため、処理はステップＳ４０３からＳ４０７に移行する。ステップＳ４０７に対応する処理として、実設定値算出部１２５は、仮設定値５０９の中の最小値「−１１」と画質設定値の下限値「−１０」５１１とを比較する。ここでは、仮設定値５０９の中の最小値「−１１」の方が小さいため、処理はステップＳ４０７からＳ４０８に移行する。ステップＳ４０８に対応する処理として、実設定値算出部１２５は、仮設定値５０９の中の最大値「９」と画質設定値の上限値「１０」５１０とを比較する。ここでは、仮設定値５０９の中の最大値「９」の方が小さいため、処理はステップＳ４０８からＳ４０９に移行する。ステップＳ４０９に対応する処理として、実設定値算出部１２５は、仮設定値５０９の全てに対してそれぞれ１加算した値を新たな仮設定値５１２とする。そして、処理はステップＳ４０３に戻る。ステップＳ４０３に対応する処理として、実設定値算出部１２５は、仮設定値５１２の中の最大値「１０」と画質設定値の上限値「１０」５１０とを比較する。ここでは、これらが等しいため、処理はステップＳ４０３からＳ４０７に移行する。ステップＳ４０７に対応する処理として、実設定値算出部１２５は、仮設定値５１２の中の最小値「−１０」と画質設定値の下限値「−１０」５１１とを比較する。ここでは、これらが等しいため、処理はステップＳ４１１に移行する。ステップＳ４１１に対応する処理として、実設定値算出部１２５は、仮設定値５１２を実設定値として画像調整部１１１に出力する。
【００３８】
図５（ｄ）は、画像入力部１０１〜１０４に対応する仮設定値がそれぞれ「−１１」、「１０」、「８」及び「７」であり、画質設定値の上限値が「１０」であり、画質設定値の下限値が「−１０」である場合を示している。
【００３９】
ステップＳ４０３に対応する処理として、実設定値算出部１２５は、仮設定値５１３の中の最大値「１０」と画質設定値の上限値「１０」５１４とを比較する。ここでは、これらが等しいため、処理はステップＳ４０３からＳ４０７に移行する。ステップＳ４０７に対応する処理として、実設定値算出部１２５は、仮設定値５１３の中の最小値「−１１」と画質設定値の下限値「−１０」５１５とを比較する。ここでは、仮設定値５１３の中の最小値「−１１」の方が小さいため、処理はステップＳ４０７からＳ４０８に移行する。ステップＳ４０８に対応する処理として、実設定値算出部１２５は、仮設定値５１３の中の最大値「１０」と画質設定値の上限値「１０」５１４とを比較する。ここでは、これらが等しいため、処理はステップＳ４０８からＳ４１０に移行する。ステップＳ４１０に対応する処理として、実設定値算出部１２５は、仮設定値５１６の最小値「−１１」に１を加算した値「−１０」を新たな仮設定値５１６とする。そして、処理はステップＳ４０３に戻る。ステップＳ４０３に対応する処理として、実設定値算出部１２５は、仮設定値５１６の中の最大値「１０」と画質設定値の上限値「１０」５１４とを比較する。ここでは、これらが等しいため、処理はステップＳ４０３からＳ４０７に移行する。ステップＳ４０７に対応する処理として、実設定値算出部１２５は、仮設定値５１６の中の最小値「−１０」と画質設定値の下限値「−１０」５１５とを比較する。ここでは、これらが等しいため、処理はステップＳ４０７からＳ４１１に移行する。ステップＳ４１１において、実設定値算出部１２５は、仮設定値５１６を実設定値として画像調整部１１１に出力する。
【００４０】
次に、図６（ａ）を参照しながら、本実施形態の一連の処理について具体的に説明する。図２のステップＳ２０１に対応する処理として、理論設定値算出部１２３は、画像入力部１０１から入力される画像データに対する画質調整指示として画質設定値「＋１」６０１を画像調整指示部１２１から入力する。また、理論設定値記憶部１２２は、画像入力部１０１〜１０４から入力される各画像データに対する理論設定値「１０」、「１０」、「９」及び「８」を記憶している。
【００４１】
図２のステップＳ２０３に対応する処理として、理論設定値算出部１２３は、画像入力部１０１から入力される画像データについて、理論設定値記憶部１２２から読み出した理論設定値「１０」６０２に画質調整値「＋１」６０１を加算する。これにより、新たな理論設定値「１１」６０３が算出される。図２のステップＳ２０４及びＳ２０５に対応する処理として、理論設定値算出部１２３は、理論設定値「１１」６０３を理論設定値記憶部１２２に記憶させるとともに、実設定値算出部１２５に対して出力する。なお、画像入力部１０２〜１０４から入力される各画像データについては、画像調整指示部１２１からの画質調整指示がない。従って、理論設定値算出部１２３は、理論設定値記憶部１２２から読み出した理論設定値６０２を、そのまま実設定値算出部１２５に対して出力する。
【００４２】
次に、図４のステップＳ４０３に対応する処理として、実設定値算出部１２５は、仮設定値６０３の中の最大値「１１」と画質設定値の上限値「１０」６０４とを比較する。ここでは、仮設定値６０３の中の最大値「１１」の方が大きいため、処理はステップＳ４０４に移行する。図４のステップＳ４０４に対応する処理として、実設定値算出部１２５は、仮設定値６０３の中の最小値「８」と画質設定値の下限値「−１０」６０５とを比較する。ここでは、仮設定値６０３の中の最小値「８」の方が大きいため、処理はステップＳ４０４からＳ４０５に移行する。ステップＳ４０５に対応する処理として、実設定値算出部１２５は、仮設定値６０３の全てに対してそれぞれ１減じた値を新たな仮設定値６０６とする。そして、処理はステップＳ４０３に戻る。
【００４３】
ステップＳ４０３に対応する処理として、実設定値算出部１２５は、仮設定値６０６の中の最大値「１０」と画質設定値の上限値「１０」６０４とを比較する。ここでは、これらが等しいため、処理はステップＳ４０３からＳ４０７に移行する。ステップＳ４０７に対応する処理として、実設定値算出部１２５は、仮設定値６０６の中の最小値「８」と画質設定値の下限値「−１０」６０５とを比較する。ここでは、仮設定値６０６の中の最小値「８」が画質設定値の下限値「−１０」６０５より大きいため、処理はステップＳ４０７からＳ４１１に移行する。ステップＳ４１１に対応する処理として、実設定値算出部１２５は、仮設定値６０６を実設定値として画像調整部１１１に出力する。
【００４４】
このように、画像入力部１０１から入力される画像データに対して画質調整値「＋１」という画質調整指示があった場合、画像入力部１０１〜１０４から入力される画像データに対する理論設定値からそれぞれ１が減算される。これにより、画像入力部１０１から入力される画像データに対する画質設定値を相対的に高め、画質設定の効果をユーザに示すことができる。以上のように、本実施形態によれば、ユーザから指示された画質設定が装置の制限を超える場合であっても、画質設定の効果を示すことが可能となる。
【００４５】
次に、実設定値算出部１２５が仮設定値６０６を実設定値として画像調整部１１１に出力した後、画質調整値「＋１」６０１を取り消す指示、即ち、画像入力部１０１から入力される画像データに対する画質調整値「−１」６０７を画像調整指示部１２１から入力した場合について説明する。
【００４６】
理論設定値記憶部１２２は、理論設定値算出部１２３により算出された理論設定値６０３を記憶している。従って、ステップＳ２０２に対応する処理として、理論設定値算出部１２３は、理論設定値６０３と同一の理論設定値６０８を理論設定値記憶部１２２から読み出す。ステップＳ２０３に対応する処理として、理論設定値算出部１２３は、画像入力部１０１から入力される画像データについて、理論設定値記憶部１２２から読み出した理論設定値「１１」に、画像調整指示部１２１より入力された画質調整値「−１」を加算する。これにより、理論設定値「１０」６０９が算出される。ステップＳ２０４及びＳ２０５に対応する処理として、理論設定値算出部１２３は、理論設定値「１０」を新たな理論設定値６１０として理論設定値記憶部１２２に記憶するとともに、実設定値算出部１２５に出力する。
【００４７】
ステップＳ４０３に対応する処理として、実設定値算出部１２５は、仮設定値６０９の中の最大値「１０」と画質設定値の上限値「１０」とを比較する。ここでは、仮設定値６０９の中の最大値「１０」が画質設定値の上限値「１０」６０４以下であるため、処理はステップＳ４０３からＳ４０４に移行する。ステップＳ４０４に対応する処理として、実設定値算出部１２５は、仮設定値６０８の中の最小値「８」と画質設定値の下限値「−１０」６０５とを比較する。ここでは、仮設定値の中の最小値「８」が画質設定値の下限値「−１０」以上であるため、処理はステップＳ４０７からＳ４１１に移行する。ステップＳ４１１に対応する処理として、実設定値算出部１２５は、仮設定値６０９をそのまま実設定値６１０として出力する。
【００４８】
このように、理論設定値と異なる実設定値が設定されていた場合でも、ユーザによって指示された画質調整値と、記憶されている理論設定値とに基づいて、新たな実設定値を都度算出することにより、常に理論設定値を基とする画質調整が可能となる。
【００４９】
次に、本発明の第２の実施形態について説明する。上述した第１の実施形態では、加算及び減算を用いて実設定値を算出する場合について説明した。これに対し、第２の実施形態２では、乗算及び除算を用いて実設定値を算出する場合について説明する。なお、第２の実施形態に係る画像表示装置は、図１に示した第１の実施形態に係る画像表示装置と同様の構成であるため、以下の説明においても、図１に示した符号を用いるものとする。
【００５０】
以下、図７を参照しながら、第２の実施形態における実設定値算出部１２５の画質設定値（実設定値）の算出処理について説明する。ここでは、図４と同一処理には同一符号を付し、説明を省略するものとする。なお、図７に示す処理は、本実施形態に係る画像表示装置１００内において、ＣＰＵが例えばＲＯＭ等の記録媒体から必要なプログラム及びデータを読み出し、ＲＡＭに展開して実行することにより実現する処理である。
【００５１】
ステップＳ７０１において、実設定値算出部１２５は、全ての仮設定値に対して、ステップＳ４０２で読み出した画質設定値の上限値の絶対値と下限値の絶対値とのうちの最大値を乗じ、さらに全ての仮設定値の絶対値のうちの最大値で除した値を算出する。これにより、全ての仮設定値について、それぞれ新たな仮設定値が算出される。
【００５２】
ここで、図８を参照しながら、図７に示した処理について具体的に説明する。図８は、仮設定値８０１の絶対値の最大値は「１１」、上限値の絶対値と下限値の絶対値とのうちの最大値は「１０」である場合を示している。
【００５３】
図８に示すように、画像入力部１０１から入力される画像データの仮設定値は「１１」であるため、新たな仮設定値は「１１×１０÷１１」により「１０」と求められる。同様に、画像入力部１０２から入力される画像データの新たな仮設定値は「１０×１０÷１１」により「９」と求められる。ここでは、小数点以下を四捨五入した正数値を新たな仮設定値としている。さらに同様に、画像入力部１０３から入力される画像データの新たな仮設定値は「９×１０÷１１≒８」と求められ、画像入力部１０４から入力される画像データの新たな仮設定値は「８×１０÷１１≒７」と求められる。
【００５４】
上述した実施形態においては、制限値を超える画質設定がユーザからなされた場合でも、画像入力部１０１〜１０４から入力される画像データに対する全ての画質設定値が装置の制限に収まるようにしている。これにより、ユーザから指示された画質設定が制限を超える場合であっても、画質設定の効果を示すことが可能となる。特に、ユーザの視野角が大きい場合、虹彩の働きによりユーザが感知する光の量が変化するため、他の画像データの設定を含めて画像調整を行うことにより、ユーザにより指定された画像データに対して画質設定の効果を示すことが可能となる。
【００５５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５６】
１００：画像表示装置、１０１〜１０４：画像入力部、１１１：画像調整部、１１２：画像表示部、１２１：画像調整指示部、１２２：理論設定値記憶部、１２３：理論設定値算出部、１２４：装置制限記憶部、１２５：実設定値算出部